(57)【要約】      （修正有）【課題】物品で満たされた鞄で運ばれる場合、又は他の物品により圧迫される場合に、剛毛の屈曲や破損を防止できるヘアーブラシを提供する。【解決手段】格納式剛毛を備えるヘアーブラシであって、ハウジング１０Ａ、ブラシ体２０Ａ、少なくとも１つの復元ばね６０、及び作動要素３０Ａを備える。ハウジングは格納スペース及び複数の貫通孔１１１を有する。貫通孔はハウジングに貫通配置される、ブラシ体は格納スペース内を直線移動し、かつ基部２３Ａ及び基部上に配置された複数の剛毛２１Ａを有する。剛毛は複数の貫通孔の対応する貫通孔から延びることが可能である。少なくとも１つの復元ばねは、ハウジング及び基部の間に取り付けられる。作動要素はハウジングに回転可能に取り付けられ、かつ屈曲部３２１Ａを有する。【選択図】図２
0003231875.tif 000002
【実用新案登録請求の範囲】
【請求項１】
格納式剛毛を備えるヘアーブラシであって、ハウジング、ブラシ体、少なくとも１つの復元ばね、及び作動要素を備え、
上記ハウジングが、格納スペース及び複数の貫通孔を有し、
上記格納スペースが、上記ハウジング内に形成され、
上記複数の貫通孔が、上記ハウジングの側部に貫通配置され、間隔を空けて配置され、かつ上記格納スペースに通じ、
上記ブラシ体が、上記格納スペース内に配置され、上記格納スペース内を直線移動し、かつ基部及び複数の剛毛を有し、
上記基部が、上記格納スペース内に配置され、
上記複数の剛毛が、上記基部の側面上に間隔を空けて配置され、上記複数の剛毛の各剛毛が上記複数の貫通孔の対応する貫通孔から延びることが可能であり、
上記少なくとも１つの復元ばねが、上記ハウジング及び上記基部の間に取り付けられ
上記作動要素が、上記ハウジングに回転可能に取り付けられ上記格納スペース内に配置されており、かつ上記作動要素の２つの端部の間で径方向に屈曲する屈曲部を有し、
上記作動要素が回転し上記屈曲部が上記基部を押すと、上記ブラシ体が直線移動し、上記複数の剛毛の各剛毛が対応する貫通孔から延び、
上記屈曲部が上記基部を押す際に、弾性力による位置エネルギーが上記少なくとも１つの復元ばねに蓄積され、上記屈曲部が上記基部から離れる際に、この弾性力による位置エネルギーが解放されて上記少なくとも１つの復元ばねを反発させ、上記複数の剛毛が上記ハウジングに格納される、ヘアーブラシ。
【請求項２】
上記ハウジングが取付孔を有し、
上記取付孔が、上記複数の貫通孔が貫通配置された上記ハウジングの側部に貫通配置され、上記複数の貫通孔から離間され、かつ上記格納スペースに通じ、
上記格納式剛毛を備えるヘアーブラシが、上記格納スペース内に配置されるミスト噴霧アセンブリを有し、
上記ミスト噴霧アセンブリが、上記取付孔に取り付けられる振動アセンブリ、及び上記格納スペース内に配置され上記振動アセンブリに通じる注入部を有し、上記振動アセンブリが振動する際に上記注入部から上記振動アセンブリに流出する液体がスプレーへと霧状化し、次いでそのスプレーは上記取付孔を介してハウジングから噴出するように上記振動アセンブリ及び上記注入部を有する、請求項１に記載の格納式剛毛を備えるヘアーブラシ。
【請求項３】
上記ハウジングが、上記ハウジングに貫通配置される注入孔を有し、
上記ミスト噴霧アセンブリが、液体タンクを有し、
上記液体タンクが、上記注入部に通じ上記注入孔に受容される液体供給孔を有する、請求項２に記載の格納式剛毛を備えるヘアーブラシ。
【請求項４】
ミスト噴霧する上記格納式剛毛を備えるヘアーブラシが、上記格納スペース内に配置された電気制御ユニットを有し、
上記振動アセンブリが、ノズル及び振動要素を有し、
上記ノズルが、上記取付孔に取り付けられ、かつ噴出孔を有し、
上記振動要素が、上記ノズル内に配置され、上記ノズルの噴出口に隣接し、かつ上記電気制御ユニットに電気的に接続される、請求項２又は請求項３に記載の格納式剛毛を備えるヘアーブラシ。
【請求項５】
上記ハウジングが上記ハウジングに貫通配置される開口を有し、
上記電気制御ユニットが上記開口に位置合わせされた充電ポートを有する充電パネルを有する、請求項４に記載の格納式剛毛を備えるヘアーブラシ。
【請求項６】
上記ハウジングが、上記ハウジングに貫通配置される受容孔を有し、
上記電気制御ユニットが、上記受容孔に受容されるボタンを有し、
上記振動要素が上記ボタンの押下により制御可能な、請求項４に記載の格納式剛毛を備えるヘアーブラシ。
【請求項７】
上記ハウジングが、上記ハウジングに貫通配置される保持孔を有し、
上記電気制御ユニットが、上記保持孔に受容される光導体を有する、請求項４に記載の格納式剛毛を備えるヘアーブラシ。
【請求項８】
上記ハウジングが、ハンドルを有し、
上記電気制御ユニットの上記ボタンが上記ハウジングの上記ハンドルに配置される、請求項６に記載の格納式剛毛を備えるヘアーブラシ。
【請求項９】
上記液体タンクが、上記液体タンク内に保持され、上記注入部内に伸長し、かつ上記振動要素に当接する吸収性綿棒を有する、請求項４に記載の格納式剛毛を備えるヘアーブラシ。
【考案の詳細な説明】
【技術分野】
【０００１】
本考案は、ヘアーブラシ、より具体的には格納式剛毛を備えるヘアーブラシに関する。
【背景技術】
【０００２】
従来のヘアーブラシはハンドル及びブラシ体を備える。このハンドルは従来のヘアーブラシの２つの端部の一方に配置される。このブラシ体は従来のブラシの２つの端部の他の一方に配置され、このブラシ体から突出する複数の剛毛を有する。使用の際、ユーザーはハンドルを握り、剛毛で自身の髪をブラッシングする。
【０００３】
しかし、ブラシ体から突出する剛毛は従来のヘアーブラシの外部に露出する。ユーザーが外出した際に自身の髪をブラッシングする目的で従来のヘアーブラシを自身の鞄に入れる場合、上記剛毛はユーザーの歩行中に鞄の中の他の物品と衝突すると屈曲又は破損しやすい。さらに、従来のブラシが単に化粧台に置かれた場合でも、従来のヘアーブラシの剛毛の上に他の物品を不注意に載置すると、ユーザーは上記剛毛を破損するおそれがある。
【考案の概要】
【考案が解決しようとする課題】
【０００４】
従来のヘアーブラシの欠点を克服するため、本考案は格納式剛毛を備えるヘアーブラシを提供し上述の問題を緩和又は解消することを意図している。
【０００５】
本考案の主目的は、格納式剛毛を備えるヘアーブラシを提供することにある。
【課題を解決するための手段】
【０００６】
本考案に係る格納式剛毛を備えるヘアーブラシは、ハウジング、ブラシ体、少なくとも１つの復元ばね、及び作動要素を備える。上記ハウジングは格納スペース及び複数の貫通孔を有する。上記格納スペースは上記ハウジング内に形成される。上記複数の貫通孔は上記ハウジングの側部に貫通配置され、間隔を空けて配置され、かつ上記格納スペースに通じる。上記ブラシ体は上記格納スペース内に配置され、上記格納スペース内を直線移動し、かつ基部及び複数の剛毛を有する。上記複数の剛毛は上記基部の側面上に間隔を空けて配置され、上記複数の剛毛の各剛毛は上記複数の貫通孔の対応する貫通孔から延びることが可能である。上記少なくとも１つの復元ばねは、上記ハウジング及び上記基部の間に取り付けられる。上記作動要素は上記ハウジングに回転可能に取り付けられ、上記格納スペース内に配置され、かつ屈曲部を有する。上記屈曲部は上記作動要素の２つの端部の間で径方向に屈曲する。上記作動要素が回転し、上記屈曲部が上記基部を押すと、上記ブラシ体は直線移動し、上記複数の剛毛の各剛毛は対応する貫通孔から延びる。上記屈曲部が上記基部を押す際に、弾性力による位置エネルギーが上記少なくとも１つの復元ばねに蓄積される。上記屈曲部が上記基部から離れる際に、この弾性力による位置エネルギーが解放されて上記少なくとも１つの復元ばねを反発させ、上記複数の剛毛が上記ハウジングに格納される。
【０００７】
本考案の他の目的、有利な点及び新規の特徴は、付属の図面と組み合わせることにより、以下の詳細な記載から明らかになる。
【図面の簡単な説明】
【０００８】
【図１】本考案に係る格納式剛毛を備えるヘアーブラシの第１実施形態の斜視図である。
【図２】図１の格納式剛毛を備えるヘアーブラシの分解斜視図である。
【図３】図１の格納式剛毛を備えるヘアーブラシの前面断面図である。
【図４】図１の格納式剛毛を備えるヘアーブラシの側面断面図である。
【図５】図１の格納式剛毛を備えるヘアーブラシの動作時の側面断面図である。
【図６】本考案に係る格納式剛毛を備えるヘアーブラシの第２実施形態の斜視図である
【図７】図６の格納式剛毛を備えるヘアーブラシの分解斜視図である。
【図８】図６の格納式剛毛を備えるヘアーブラシの一部の前面図である。
【図９】図６の格納式剛毛を備えるヘアーブラシの振動要素及び電気制御ユニットに関する回路ブロック図である。
【図１０】図６の格納式剛毛を備えるヘアーブラシの側面断面図である。
【図１１】図６の格納式剛毛を備えるヘアーブラシの動作時の側面断面図である。
【考案を実施するための形態】
【０００９】
図１から図３を参照すると、本考案に係る格納式剛毛を備えるヘアーブラシの第１実施形態は、ハウジング１０Ａ、ブラシ体２０Ａ、作動要素３０Ａ及び少なくとも１つの復元ばね６０とを備える。
【００１０】
図１から図３を参照すると、ハウジング１０Ａは第１ケーシング１１Ａ及び第２ケーシング１２Ａを有する。第１ケーシング１１Ａ及び第２ケーシング１２Ａを組み立てることでハウジング１０Ａが形成され、ハウジング１０Ａ内に格納スペース１３が形成される。第１ケーシング１１Ａは複数の貫通孔１１１及び第１枢支部１１３を有する。複数の貫通孔１１１の各貫通孔は、第１ケーシング１１Ａの底面に貫通配置される。複数の貫通孔１１１は、間隔を空けて配置され、かつ格納スペース１３に通じる。第１枢支部１１３は、第１ケーシング１１Ａの内壁に配置され、第１ケーシング１１Ａの縁部に隣接配置され、かつ第２ケーシング１２Ａに向けて伸長する。
【００１１】
図１から図３を参照すると、第２ケーシング１２Ａは第２枢支部１２６及び通過孔１２７Ａを有する。第２枢支部１２６は、第２ケーシング１２Ａの内壁に配置され、第２ケーシング１２Ａの縁部に隣接配置され、第１ケーシングに向けて伸長し、かつ第１枢支部１１３と位置合わせされる。通過孔１２７Ａは第２ケーシング１２Ａに貫通配置され、かつ第２枢支部１２６の反対側に配置される。
【００１２】
図１から図３を参照すると、ブラシ体２０Ａは格納スペース１３内に配置され、第１ケーシング１１Ａ及び第２ケーシング１２Ａの間を直線移動する。ブラシ体２０Ａは基部２３Ａ及び複数の剛毛２１Ａを有する。基部２３Ａは格納スペース１３内に格納され、第１ケーシング１１Ａ及び第２ケーシング１２Ａの間に配置される。複数の剛毛２１Ａは、第１ケーシング１１Ａに対向する基部２３Ａの側面上に間隔を空けて配置され、複数の剛毛２１Ａの各剛毛は複数の貫通孔１１１の各貫通孔に向けて突出する。これにより、基部２３が第１ケーシング１１Ａに向けて移動する際、複数の剛毛２１Ａの各剛毛が対応する貫通孔１１１から延びる。
【００１３】
図２から図５を参照すると、作動要素３０Ａは筐体１０Ａに回転可能に取り付けられ、ブラシ体２０Ａ及び第２ケーシング１２Ａの間に配置され、かつ駆動部３１Ａ及びシャフト３２Ａを有する。駆動部３１Ａは通過孔１２７Ａに取り付けられ、駆動部３１Ａは格納スペース１３内に伸長する。シャフト３２Ａは２つの端部及び屈曲部３２１Ａを有する。シャフト３２Ａの２つの端部の一方は格納部１３内に伸長し、かつ第１枢支部１１３及び第２枢支部１２６の間に回転可能に搭載される。シャフト３２Ａの２つの端部の他の一方は駆動部３１Ａに搭載され、これによりシャフト３２Ａは駆動部３１Ａの回転により回転駆動される。屈曲部３２１Ａは、シャフト３２Ａの２つの端部の間で半径方向に屈曲する。図４及び図５を参照すると、作動要素３０Ａが回転し、これにより屈曲部３２１Ａが基部２３Ａを押すと、ブラシ体２０Ａが徐々に第１ケーシング１１Ａに向かって直線移動し、複数の剛毛２１Ａの各剛毛が徐々に対応する貫通孔１１１から延びる。このとき、ユーザーは本考案により自身の髪をブラッシングできる。
【００１４】
図２、図４及び図５を参照すると、少なくとも１つの復元ばね６０が第１ケーシング１１Ａ及び基部２３Ａの間に取り付けられる。本考案では、格納式剛毛を備えるヘアーブラシが２つの復元ばね６０を有する。作動要素３０Ａが基部２３Ａを押すと、弾性力による位置エネルギーが２つの復元ばね６０に蓄積される。本考案によって髪へのブラッシングを完了した後、作動要素３１Ａを逆向きに回転させると屈曲部３２１Ａは基部２３Ａから離れる。このとき、２つの復元ばね６０に蓄積された弾性力による位置エネルギーが解放され、２つの復元ばね６０がブラシ体２０Ａを第２ケーシング１２Ａに向けて押すように反発し、ブラシ体２０Ａを元の位置に移動させる。このように、複数の剛毛２１Ａが筐体１０Ａに自動的に格納される。
【００１５】
図６から図８を参照すると、本考案に係る格納式剛毛を備えるヘアーブラシの第２実施形態は実質的に第１実施形態と同一であり、第１実施形態と第２実施形態との差異は以下の通りである。すなわち、筐体１０Ｂがハンドルを有し、基部２３Ｂがさらに通過孔２２Ｂを有し、かつ格納式剛毛を備えるヘアーブラシがさらにミスト噴霧アセンブリ４０及び電気制御ユニット５０を有する。
【００１６】
図６から図８を参照すると、第１ケーシング１１Ｂは第１ハーフハンドル部１１４Ｂ、取付孔１１２Ｂ、２つの第１枢支部１１３、受容孔１１５Ｂ、保持孔１１６Ｂ及び第１切れ込み１１７Ｂを有する。第１ハーフハンドル部１１４Ｂは第１ケーシング１１Ｂの２つの端部の一方から突出する。取付孔１１２Ｂは第１ケーシング１１Ｂの底面に貫通配置され、複数の貫通孔１１１からは離間され、かつ格納スペース１３に通じる。本考案では、複数の貫通孔１１１が取付孔１１２Ｂを囲む。２つの第１枢支部１１３の一方は第１ケーシング１１Ｂの内壁に配置され、第１ケーシング１１Ｂの縁部に隣接配置され、かつ第２ケーシング１２Ｂに向けて伸長する。２つの第１枢支部１１３の他の一方は、第１ハーフハンドル部１１４Ｂが第１ケーシング１１Ｂに接続される位置に配置され、この第１枢支部１１３は第２ケーシング１２Ｂに向けて伸長する。受容孔１１５Ｂは第１ハーフハンドル部１１４Ｂの底面に貫通配置され、格納スペース１３に通じる。保持孔１１６Ｂは、第１ハーフハンドル部１１４Ｂの底面に貫通配置され、格納スペース１３に通じ、かつ需要孔１１５Ｂから離間する。第１切れ込み１１７Ｂは、第１ハーフハンドル部１１４Ｂの縁部において下向きに凹み、２つの第１枢支部１１３と位置合わせされる。
【００１７】
図６から図８を参照すると、第２ケーシング１２Ｂは第２ハーフハンドル部１２８Ｂ、２つの第２枢支部１２６、第２切れ込み１２１Ｂ、注入孔１２２Ｂ及び開口１２３Ｂを有する。第２ハーフハンドル部１２８Ｂは、第２ケーシング１２Ｂの２つの端部の一方から突出し、その形状及び位置が第１ハーフハンドル部１１４Ｂに対応する。２つの第２枢支部１２６の一方は、第２ケーシング１２Ｂの内壁に配置され、第２ケーシング１２Ｂの縁部に隣接配置され、第１ケーシング１１Ｂに向けて伸長し、かつ２つの第１枢支部１１３の一方と位置合わせされる。２つの第２枢支部１２６の他の一方は、第２ハーフハンドル部１２８Ｂが第２ケーシング１２Ｂに接続される位置に配置され、２つの第１枢支部１１３の他の一方と位置合わせされる。第２切れ込み１２１Ｂは、第２ハーフハンドル部１２８Ｂの縁部において上向きに凹み、第１切れ込み１１７Ｂと位置合わせされる。注入孔１２２Ｂは、第２ケーシング１２Ｂに貫通配置される。開口１２３Ｂは、第２ケーシング１２Ｂに貫通配置され、注入孔１２２Ｂから離間する。注入孔１２２Ｂ及び開口１２３Ｂは、共に格納スペース１３に通じる。
【００１８】
図７及び図８を参照すると、基部２３Ｂは基部２３Ｂを貫通するよう配置された通過孔２２Ｂを有する。
【００１９】
図７及び図８を参照すると、第１ケーシング１１Ｂ及び第２ケーシング１２Ｂが相互に連結される際、駆動部３１Ｂが第１切れ込み１１７Ｂ及び第２切れ込み１２１Ｂの間に取り付けられ、シャフト３２Ｂの２つの端部の一方が第１枢支部１１３及び第２枢支部１２６に回転可能に取り付けられ、かつ第２ハーフハンドル部１２８Ｂ及び第１ハーフハンドル部１１４Ｂが共にハンドルを構成する。シャフト３２Ｂの中間部は、第１ハーフハンドル部１１４Ｂが第１ケーシング１１Ｂに接続される位置に配置された第１枢支部１１３と、第２ハーフハンドル部１２８Ｂが第２ケーシング１２Ｂに接続される位置に配置された第２枢支部１２６とを亘る。
【００２０】
図７及び図８を参照すると、ミスト噴霧アセンブリ４０は格納スペース内１３に配置され、電気振動アセンブリ４１及び液体タンク４２を有する。電気振動アセンブリ４１は格納スペース１３内に配置され、取付孔１１２Ｂに取り付けられ、かつノズル４１１及び振動要素４１２を有する。ノズル４１１は取付孔１１２Ｂに取り付けられ、ノズル４１１はハウジング１０Ｂの外部に向けて広がる噴出口を有する。振動要素４１２はノズル４１１内に配置され、上記噴出口に隣接する。振動要素４１２が十分に高い周波数で振動すると、振動要素４１２は液体タンク４２内に保持された液体を霧状化する。
【００２１】
図７及び図８を参照すると、液体タンク４２は第２ケーシング１２Ｂに取り付けられ、格納スペース１３内に配置され、ブラシ体２０Ｂ及び第２ケーシング１２Ｂの間に配置され、かつ注入部４２１、液体供給孔４２２、プラグ４２３及び吸収性綿棒４２４を有する。注入部４２１は、液体タンク４２内に保持された液体が注入部４２１を介して振動要素４１２に流れるように、通過孔２２Ｂ内に伸長しノズル４１１に通じる。液体供給孔４２２は液体タンク４２に貫通配置され、注入部４２１に通じ、かつ注入孔１２２Ｂに受容される。ユーザーは液体供給孔４２２を介して液体タンク４２に液体を注入することができる。プラグ４２３は取り外し可能に液体供給孔４２２に挿入される。さらに、プラグ４２３は液体供給孔４２２に形状が対応することにより、液体供給孔４２２は、プラグ４２３が液体供給孔４２２に挿入された後、液体タンク４２に保持された液体が浸出することを防ぐ。吸収性綿棒４２４は液体タンク内に保持され、注入部４２１内に伸長し、かつ振動要素４１２に対して当接する。
【００２２】
図７及び図８を参照すると、振動要素４１２が十分に高い周波数で振動する場合、吸収性綿棒４２４を介して振動要素４１２に流れる液体がスプレーに霧状化し、取付孔１１２Ｂに取り付けられたノズル４１１の噴出口を介してハウジング１０Ｂから噴出する。このようにして、ユーザーは自身の髪をブラッシングし、同時に、ヘアーブラシ及びスプレーボトルを両手のそれぞれに持つのではなく本考案を片手で持つことにより、水、ヘアーコンディショナー及び精油といった液体を自身の髪に吹きつけることができる。
【００２３】
図６から図９を参照すると、電気制御ユニット５０が格納スペース１３内に配置され、振動要素４１２に電気的に接続されることにより振動要素４１２の高周波振動を生成する。電気制御ユニット５０は、回路基板５１、充電パネル５２、バッテリー５３、ボタン５４及び光導体５５を有する。回路基板５１は第１ハーフハンドル部１１４Ｂ及び第２ハーフハンドル部１２８Ｂの間に配置され、シャフト３２Ｂの下にあり、かつ振動要素４１２、充電パネル５２、バッテリー５３及びボタン５４に電気的に接続される。充電パネル５２は格納スペース１３内に配置され、開口１２３Ｂに位置合わせされた充電ポートを有する。本考案では、充電ポートはユニバーサル・シリアル・バス（ＵＳＢ）ポートであり、ユーザーは開口１２３Ｂを介して充電ケーブルを上記充電ポートに接続し、バッテリー５３を充電することができる。バッテリー５３は格納スペース１３内に配置される。ボタン５４は受容孔１１５Ｂに受容され、振動要素４１２の振動はボタン５４を押下することにより制御され得る。光導体５５は保持孔１１６Ｂに受容され、回路基板５１により放出された光は光導体５５によりハウジング１０Ｂの外部に誘導され得る。結果として、ユーザーは本考案に係る格納式ブラシを備えるヘアーブラシの操作ステータスを把握する。
【００２４】
図８、図１０及び図１１を参照すると、ユーザーは使用時に作動要素３０Ｂを回転させることにより複数のブラシ体２１Ｂをハウジング１０Ｂから伸長させる、又はハウジング１０Ｂ内に格納する。さらに、ユーザーがハンドルに配置されたボタン５４を押下した後、ノズル４１１からスプレーが噴出することにより、ユーザーは自身の髪にスプレーが放出されるのと同時に自身の髪をブラッシングできる。
【００２５】
上述の技術的特徴により、格納式剛毛を備えるヘアーブラシは以下の利点を有する。
【００２６】
１．格納式剛毛を備えるヘアーブラシが使用されていないとき、複数の剛毛２１Ａ、２１Ｂはハウジング１０Ａ、１０Ｂ内に格納される。この方法により、物品で満たされた鞄で運ばれる場合又は他の物品により不注意に圧迫される場合に、複数の剛毛２１Ａ、２１Ｂが屈曲又は破損しない。
【００２７】
２．ボタン５４が電気的に回路ボード５１に接続されているため、使用時において、ユーザーはボタン５４を一度押下するだけで本考案からスプレーを噴出させ続けられる。したがって、本考案は利便性が高く、ユーザーの手に筋肉痛が発生することを防ぐ。
【００２８】
３．ブラシ体２０Ａ、２０Ｂ、作動要素３０Ａ、３０Ｂ、ミスト噴霧アセンブリ４０及び電気制御ユニット５０はすべてハウジング１０Ａ、１０Ｂ内に格納され、ハウジング１０Ａ、１０Ｂの格納スペース１３を最適に利用している。したがって、格納式剛毛を備えるヘアーブラシはサイズが小さく、保管に便利である。
【００２９】
４．ミスト噴霧アセンブリ４０がハウジング１０Ａ、１０Ｂ内に配置され、ミスト噴霧アセンブリ４０が電気的に制御され、かつボタン５４が受容孔１１５Ｂに適切に受容されているため、本考案は鞄で運ばれている他の物品にボタン５４が偶然に押下されることを防ぐことができる。このため、本考案は鞄を湿らせる又は汚すことがない。
【図１】
0003231875.tif 000003
【図２】
0003231875.tif 000004
【図３】
0003231875.tif 000005
【図４】
0003231875.tif 000006
【図５】
0003231875.tif 000007
【図６】
0003231875.tif 000008
【図７】
0003231875.tif 000009
【図８】
0003231875.tif 000010
【図９】
0003231875.tif 000011
【図１０】
0003231875.tif 000012
【図１１】
0003231875.tif 000013
【手続補正書】
【提出日】令和3年3月4日(2021.3.4)
【手続補正１】
【補正対象書類名】実用新案登録請求の範囲
【補正対象項目名】全文
【補正方法】変更
【補正の内容】
【実用新案登録請求の範囲】
【請求項１】
格納式剛毛を備えるヘアーブラシであって、ハウジング、ブラシ体、少なくとも１つの復元ばね、及び作動要素を備え、
上記ハウジングが、格納スペース及び複数の貫通孔を有し、
上記格納スペースが、上記ハウジング内に形成され、
上記複数の貫通孔が、上記ハウジングの側部に貫通配置され、間隔を空けて配置され、かつ上記格納スペースに通じ、
上記ブラシ体が、上記格納スペース内に配置され、上記格納スペース内を直線移動し、かつ基部及び複数の剛毛を有し、
上記基部が、上記格納スペース内に配置され、
上記複数の剛毛が、上記基部の側面上に間隔を空けて配置され、上記複数の剛毛の各剛毛が上記複数の貫通孔の対応する貫通孔から延びることが可能であり、
上記少なくとも１つの復元ばねが、上記ハウジング及び上記基部の間に取り付けられ
上記作動要素が、上記ハウジングに回転可能に取り付けられ上記格納スペース内に配置されており、かつ上記作動要素の２つの端部の間で径方向に屈曲する屈曲部を有し、
上記作動要素が回転し上記屈曲部が上記基部を押すと、上記ブラシ体が直線移動し、上記複数の剛毛の各剛毛が対応する貫通孔から延び、
上記屈曲部が上記基部を押す際に、弾性力による位置エネルギーが上記少なくとも１つの復元ばねに蓄積され、上記屈曲部が上記基部から離れる際に、この弾性力による位置エネルギーが解放されて上記少なくとも１つの復元ばねを反発させ、上記複数の剛毛が上記ハウジングに格納される、ヘアーブラシ。
【請求項２】
上記ハウジングが取付孔を有し、
上記取付孔が、上記複数の貫通孔が貫通配置された上記ハウジングの側部に貫通配置され、上記複数の貫通孔から離間され、かつ上記格納スペースに通じ、
上記格納式剛毛を備えるヘアーブラシが、上記格納スペース内に配置されるミスト噴霧アセンブリを有し、
上記ミスト噴霧アセンブリが、上記取付孔に取り付けられる振動アセンブリ、及び上記格納スペース内に配置され上記振動アセンブリに通じる注入部を有し、上記振動アセンブリが振動する際に上記注入部から上記振動アセンブリに流出する液体がスプレーへと霧状化し、次いでそのスプレーは上記取付孔を介してハウジングから噴出するように上記振動アセンブリ及び上記注入部を有する、請求項１に記載の格納式剛毛を備えるヘアーブラシ。
【請求項３】
上記ハウジングが、上記ハウジングに貫通配置される注入孔を有し、
上記ミスト噴霧アセンブリが、液体タンクを有し、
上記液体タンクが、上記注入部に通じ上記注入孔に受容される液体供給孔を有する、請求項２に記載の格納式剛毛を備えるヘアーブラシ。
【請求項４】
上記格納式剛毛を備えるヘアーブラシが、上記格納スペース内に配置された電気制御ユニットを有し、
上記振動アセンブリが、ノズル及び振動要素を有し、
上記ノズルが、上記取付孔に取り付けられ、かつ噴出孔を有し、
上記振動要素が、上記ノズル内に配置され、上記ノズルの噴出口に隣接し、かつ上記電気制御ユニットに電気的に接続される、請求項３に記載の格納式剛毛を備えるヘアーブラシ。
【請求項５】
上記ハウジングが上記ハウジングに貫通配置される開口を有し、
上記電気制御ユニットが上記開口に位置合わせされた充電ポートを有する充電パネルを有する、請求項４に記載の格納式剛毛を備えるヘアーブラシ。
【請求項６】
上記ハウジングが、上記ハウジングに貫通配置される受容孔を有し、
上記電気制御ユニットが、上記受容孔に受容されるボタンを有し、
上記振動要素が上記ボタンの押下により制御可能な、請求項４に記載の格納式剛毛を備えるヘアーブラシ。
【請求項７】
上記ハウジングが、上記ハウジングに貫通配置される保持孔を有し、
上記電気制御ユニットが、上記保持孔に受容される光導体を有する、請求項４に記載の格納式剛毛を備えるヘアーブラシ。
【請求項８】
上記ハウジングが、ハンドルを有し、
上記電気制御ユニットの上記ボタンが上記ハウジングの上記ハンドルに配置される、請求項６に記載の格納式剛毛を備えるヘアーブラシ。
【請求項９】
上記液体タンクが、上記液体タンク内に保持され、上記注入部内に伸長し、かつ上記振動要素に当接する吸収性綿棒を有する、請求項４に記載の格納式剛毛を備えるヘアーブラシ。
【請求項１０】
上記格納式剛毛を備えるヘアーブラシが、上記格納スペース内に配置された電気制御ユニットを有し、
上記振動アセンブリが、ノズル及び振動要素を有し、
上記ノズルが、上記取付孔に取り付けられ、かつ噴出孔を有し、
上記振動要素が、上記ノズル内に配置され、上記ノズルの噴出口に隣接し、かつ上記電気制御ユニットに電気的に接続される、請求項２に記載の格納式剛毛を備えるヘアーブラシ。
【請求項１１】
上記ハウジングが上記ハウジングに貫通配置される開口を有し、
上記電気制御ユニットが上記開口に位置合わせされた充電ポートを有する充電パネルを有する、請求項１０に記載の格納式剛毛を備えるヘアーブラシ。
【請求項１２】
上記ハウジングが、上記ハウジングに貫通配置される受容孔を有し、
上記電気制御ユニットが、上記受容孔に受容されるボタンを有し、
上記振動要素が上記ボタンの押下により制御可能な、請求項１０に記載の格納式剛毛を備えるヘアーブラシ。
【請求項１３】
上記ハウジングが、上記ハウジングに貫通配置される保持孔を有し、
上記電気制御ユニットが、上記保持孔に受容される光導体を有する、請求項１０に記載の格納式剛毛を備えるヘアーブラシ。
【請求項１４】
上記ハウジングが、ハンドルを有し、
上記電気制御ユニットの上記ボタンが上記ハウジングの上記ハンドルに配置される、請求項１２に記載の格納式剛毛を備えるヘアーブラシ。